【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
販売者の端末により、商品の販売価格、販売目標期間、販売目標数量、及び購買者に分配すべき基本利益金のうち少なくとも一つが入力され、前記販売目標期間の間、前記販売目標数量の商品が販売されたら成功するイベントが設定され、前記イベントが成功したら前記購買者に分配すべき追加利益金の金額、追加分配方式、及び追加分配割合のうち少なくとも一つが入力されるイベント設定部と、
前記購買者の端末により、前記商品の決済が行われる商品決済部と、
前記イベントを活性化させ、前記商品決済部で行われた前記商品の決済の数が前記販売目標数量に到逹したか否かを確認するイベント管理部と、
前記購買者に前記基本利益金を支給し、前記イベント管理部により、前記イベントが成功したと確認されると、前記購買者に前記追加利益金を支給する利益金分配部と、
を含むことを特徴とする商品販売促進システム。
【請求項２】
前記イベント設定部では、前記販売者の端末により、前記販売価格よりも低い金額の報奨金が入力され、
前記イベント管理部で行われる前記決済は、前記報奨金の決済または前記販売価格の決済である、
ことを特徴とする請求項１に記載の商品販売促進システム。
【請求項３】
前記商品販売促進システムは、
前記決済により発生した決済代金が預け入れられるシステム口座部と、
前記商品販売促進システムに加入した会員に割り当てられ、電子マネー及び現金のうち少なくとも一つが積み立てられる会員口座部と、
をさらに含むことを特徴とする請求項２に記載の商品販売促進システム。
【請求項４】
前記イベント活性化の開始前または開始と同時に、前記追加利益金と同じ金額の前記販売者のイベント預け金が、前記販売者の会員口座部から前記システム口座部に送信される、
ことを特徴とする請求項３に記載の商品販売促進システム。
【請求項５】
前記イベント管理部は、前記報奨金のみを決済した購買者（以下、「報奨金決済購買者」という。）の端末に前記販売価格の追加決済要請を送信し、
前記商品決済部において、前記報奨金決済購買者の端末により前記販売価格が追加決済されると、前記システム口座部に預け入れられた金額から、前記販売価格を追加決済した前記報奨金決済購買者（以下、「販売価格追加決済購買者」という。）の会員口座部に、前記報奨金に該当する金額が送信される、
ことを特徴とする請求項４に記載の商品販売促進システム。
【請求項６】
前記商品販売促進システムは、
前記報奨金の決済なしに、前記販売価格を決済した購買者（以下、「販売価格決済購買者」という。）と前記販売価格追加決済購買者の配送住所を前記販売者の端末に送信する配送管理部、
をさらに含むことを特徴とする請求項５に記載の商品販売促進システム。
【請求項７】
前記商品販売促進システムは、
前記販売価格決済購買者の端末と、前記販売価格追加決済購買者の端末に購買確定要請を発送し、前記販売価格決済購買者の端末と、前記販売価格追加決済購買者の端末から前記購買確定要請に対する応答を受信する購買確定管理部をさらに含むが、前記応答が購買確定応答であれば、前記利益金分配部は、前記システム口座部に預け入れられた金額から、前記販売価格決済購買者及び前記販売価格追加決済購買者の会員口座部に前記基本利益金を送信し、
前記応答が購買取消応答であれば、前記利益金分配部は、前記販売価格決済購買者及び前記販売価格追加決済購買者の会員口座部に前記販売価格に該当する金額を送信するが、前記イベント管理部により、前記イベントが成功したと確認されると、前記報奨金に該当する金額を減算した金額を送信する、
ことを特徴とする請求項６に記載の商品販売促進システム。
【請求項８】
前記商品販売促進システムは、
前記販売価格決済購買者の端末と、前記販売価格追加決済購買者の端末に購買確定要請を発送し、前記販売価格決済購買者の端末と、前記販売価格追加決済購買者の端末から前記購買確定要請に対する応答を受信する購買確定管理部をさらに含むが、前記応答が、購買確定応答であれば、前記利益金分配部は、前記システム口座部に預け入れられた金額から、前記販売価格決済購買者及び前記販売価格追加決済購買者の会員口座部に前記基本利益金を送信し、
前記応答が購買取消応答であれば、前記利益金分配部は、前記販売価格決済購買者及び前記販売価格追加決済購買者の会員口座部に、前記販売価格から前記報奨金に該当する金額を減算した金額を送信し、前記イベント管理部により、前記イベントが失敗したと確認されると、前記利益金分配部は、前記販売価格決済購買者及び前記販売価格追加決済購買者の会員口座部に前記報奨金に該当する金額を送信する、
ことを特徴とする請求項６に記載の商品販売促進システム。
【請求項９】
前記イベント管理部により、前記イベントが成功したと確認されると、前記利益金分配部は、前記追加利益金に対して、前記追加分配方式と前記追加分配割合を適用して、前記購買確定応答を行った前記販売価格決済購買者及び前記販売価格追加決済購買者（以下、「購買確定購買者」という。）に分配すべき個別追加利益金を確定し、
前記利益金分配部は、前記システム口座部に格納された金額から前記購買確定購買者の会員口座部に前記個別追加利益金を送信する、
ことを特徴とする請求項７または８に記載の商品販売促進システム。
【請求項１０】
前記商品販売促進システムは、
前記販売者の端末により、前記イベント設定部から前記報奨金が入力されるとき、前記販売者の端末に最小報奨金を知らせる最小報奨金計算部をさらに含むが、
前記最小報奨金は、前記イベントが成功したときに計算される前記個別追加利益金のうち、最も大きな金額を前記販売目標数量で除算した値である、
ことを特徴とする請求項９に記載の商品販売促進システム。
【請求項１１】
前記商品販売促進システムは、
前記販売者の端末により、前記イベント設定部から前記報奨金が入力されるとき、前記販売者の端末に最小報奨金を知らせる最小報奨金計算部をさらに含むが、
前記最小報奨金は、前記イベント預け金を前記販売目標数量で除算した値である、
ことを特徴とする請求項９に記載の商品販売促進システム。
【請求項１２】
前記追加分配方式は、
決済順序により、前記購買確定購買者を順次配列する段階と、
前記追加利益金に前記追加分配割合を乗算して得られた第１の個別追加利益金を、最も早い決済を行った第１の購買確定購買者に支給する段階と、
前記追加利益金から前記第１の個別追加利益金を減算して残った金額に前記追加分配割合を乗算して得られた第２の個別追加利益金を、２番目に早い決済を行った第２の購買確定購買者に支給する段階と、
を含むことを特徴とする請求項９に記載の商品販売促進システム。
【請求項１３】
前記会員口座部は、電子マネーが積み立てられる電子マネー口座を含み、
前記追加分配方式は、
前記購買確定購買者の電子マネー口座に積み立てられた電子マネー金額と、前記購買確定購買者の決済回数を乗算した値（以下、「順位用電子マネー金額」という。）により、前記購買確定購買者を順次配列する段階と、
前記追加利益金に前記追加分配割合を乗算して得られた第１の個別追加利益金を、最も多くの順位用電子マネー金額を有した第１の購買確定購買者に支給する段階と、
前記追加利益金から前記第１の個別追加利益金を減算して残った金額に前記追加分配割合を乗算して得られた第２の個別追加利益金を、２番目に多くの順位用電子マネー金額を有した第２の購買確定購買者に支給する段階と、
を含むことを特徴とする請求項９に記載の商品販売促進システム。
【請求項１４】
前記追加分配方式は、
前記販売価格の決済順序により、前記購買確定購買者を順次配列する段階と、
前記追加利益金に前記追加分配割合を乗算して得られた第１の個別追加利益金を、最も早く前記販売価格を決済した第１の購買確定購買者に支給する段階と、
前記追加利益金から前記第１の個別追加利益金を減算して残った金額に前記追加分配割合を乗算して得られた第２の個別追加利益金を、２番目に早く前記販売価格を決済した第２の購買確定購買者に支給する段階と、
を含むことを特徴とする請求項９に記載の商品販売促進システム。
【請求項１５】
前記追加分配方式は、
購買確定応答順序により、前記購買確定購買者を順次配列する段階と、
前記追加利益金に前記追加分配割合を乗算して得られた第１の個別追加利益金を、最も早い購買確定応答を行った第１の購買確定購買者に支給する段階と、
前記追加利益金から前記第１の個別追加利益金を減算して残った金額に前記追加分配割合を乗算して得られた第２の個別追加利益金を、２番目に早い購買確定応答を行った第２の購買確定購買者に支給する段階と、
を含むことを特徴とする請求項９に記載の商品販売促進システム。
【請求項１６】
前記決済時、前記利益金分配部は、前記決済を行った購買者を前記追加分配方式により順次配列した予想追加分配順位を、前記決済を行った購買者の端末に送信する、
ことを特徴とする請求項３に記載の商品販売促進システム。
【請求項１７】
前記予想追加分配順位は、
前記決済の順序により、前記決済を行った購買者を順次配列した、
ことを特徴とする請求項１６に記載の商品販売促進システム。
【請求項１８】
前記予想追加分配順位は、
前記決済を行った購買者の会員口座部に含まれた電子マネー口座に積み立てられた電子マネー金額と、前記決済の回数を乗算した値の大きさにより、前記決済を行った購買者を順次配列した、
ことを特徴とする請求項１６に記載の商品販売促進システム。
【請求項１９】
前記予想追加分配順位は、
前記販売価格の決済順序により、前記決済を行った購買者を順次配列した、
ことを特徴とする請求項１６に記載の商品販売促進システム。
【請求項２０】
前記予想追加分配順位は、
前記決済を行った購買者が、購買確定管理部が前記決済を行った購買者の端末に送信した購買確定要請に対して購買確定応答を行った順序により、前記決済を行った購買者を順次配列した、
ことを特徴とする請求項１６に記載の商品販売促進システム。